(57)【要約】【課題】検索効率の向上が図れる画像検索装置及び画像検索方法を提供する。【解決手段】複数のカメラ１０で撮影することにより得られる複数の被写体それぞれの画像をデータベース化して蓄積する人物特徴データベース２１と、人物特徴データベース２１に蓄積されている複数の被写体それぞれの画像からクエリ画像を用いて類似検索を行う類似検索部２２と、類似検索部２２により得られた複数の画像のうち、基準とする正解画像と他の正解画像を合成するか、あるいは基準とする正解画像とネガポジ反転した不正解画像を合成して新たなクエリ画像を生成するクエリ画像生成部２３と、類似検索部２２で検索された画像を検索端末３０で表示するための画像処理を行う画像処理部２４とを備える。【選択図】図１
2010211261.tif 000002
【特許請求の範囲】
【請求項１】
撮影手段によって得られる被写体の画像をデータベース化して蓄積する蓄積手段と、
前記蓄積手段に蓄積されている被写体の画像からクエリ画像を用いて類似検索を行う類似検索手段と、
前記類似検索手段による検索結果のうち、基準とする正解画像と他の正解画像を合成するか、あるいは基準とする正解画像とネガポジ反転した不正解画像を合成して新たなクエリ画像を生成するクエリ画像生成手段と、を備え、
前記類似検索手段は、前記クエリ画像検索手段で生成された新たなクエリ画像を用いて類似検索を行う画像検索装置。
【請求項２】
前記クエリ画像生成手段は、基準とする正解画像と他の正解画像を合成するか、あるいは基準とする正解画像とネガポジ反転した不正解画像を合成する際、前記被写体に関する撮影時の付属情報に応じた重み付けを行う請求項１に記載の画像検索装置。
【請求項３】
撮影手段によって得られる被写体の画像を別次元の画像に変換した特徴量をデータベース化して蓄積する蓄積手段と、
前記蓄積手段に蓄積されている被写体の特徴量からクエリ画像特徴を用いて類似検索を行う類似検索手段と、
前記類似検索手段による検索結果のうち、基準とする正解画像を別次元の画像に変換した特徴量と他の正解画像を別次元の画像に変換した特徴量を合成するか、あるいは基準とする正解画像を別次元の画像に変換した特徴量とネガポジ反転した不正解画像を別次元の画像に変換した特徴量を合成して新たなクエリ画像特徴を生成するクエリ画像生成手段と、を備え、
前記類似検索手段は、前記クエリ画像生成手段で生成された新たなクエリ画像特徴を用いて類似検索を行う画像検索装置。
【請求項４】
前記クエリ画像生成手段は、基準とする正解画像を別次元の画像に変換した特徴量と他の正解画像を別次元の画像に変換した特徴量を合成するか、あるいは基準とする正解画像を別次元の画像に変換した特徴量とネガポジ反転した不正解画像を別次元の画像に変換した特徴量を合成する際、前記被写体に関する撮影時の付属情報に応じた重み付けを行う請求項３に記載の画像検索装置。
【請求項５】
前記被写体に関する撮影時の付属情報は、前記被写体の向き、前記被写体に対する照明変化量、前記被写体の解像度及び前記被写体のデータ量のうち少なくとも１つの情報を含む請求項２あるいは４に記載の画像検索装置。
【請求項６】
撮影手段によって得られる被写体の画像をデータベース化して蓄積する蓄積ステップと、
前記蓄積ステップで蓄積された被写体の画像からクエリ画像を用いて類似検索を行う類似検索ステップと、
前記類似検索ステップでの検索結果のうち、基準とする正解画像と他の正解画像を合成するか、あるいは基準とする正解画像とネガポジ反転した不正解画像を合成して新たなクエリ画像を生成するクエリ画像生成ステップと、を備え、
前記類似検索ステップでは、前記クエリ画像生成ステップで生成された新たなクエリ画像を用いて類似検索を行う画像検索方法。
【請求項７】
前記クエリ画像生成ステップでは、基準とする正解画像と他の正解画像を合成するか、あるいは基準とする正解画像とネガポジ反転した不正解画像を合成する際、前記被写体に関する撮影時の付属情報に応じた重み付けを行う請求項６に記載の画像検索方法。
【請求項８】
前記被写体に関する撮影時の付属情報は、前記被写体の向き、前記被写体に対する照明変化量、前記被写体の解像度及び前記被写体のデータ量のうち少なくとも１つの情報を含む請求項７に記載の画像検索方法。
【請求項９】
撮影手段によって得られる被写体の画像を別次元の画像に変換した特徴量をデータベース化して蓄積する蓄積ステップと、
前記蓄積ステップに蓄積されている被写体の特徴量からクエリ画像特徴を用いて類似検索を行う類似検索ステップと、
前記類似検索ステップによる検索結果のうち、基準とする正解画像を別次元の画像に変換した特徴量と他の正解画像を別次元の画像に変換した特徴量を合成するか、あるいは基準とする正解画像を別次元の画像に変換した特徴量とネガポジ反転した不正解画像を別次元の画像に変換した特徴量を合成して新たなクエリ画像特徴を生成するクエリ画像生成ステップと、を備え、
前記類似検索ステップは、前記クエリ画像生成ステップで生成された新たなクエリ画像特徴を用いて類似検索を行う画像検索方法。
【発明の詳細な説明】
【技術分野】
【０００１】
本発明は、カメラで撮影して得られた複数の画像から特定の人物を検索する人物検索システムを用いて好適な画像検索装置及び画像検索方法に関する。
【背景技術】
【０００２】
カメラで撮影して得られた複数の画像から特定の人物を検索する画像検索の一般手法として、特許文献１及び特許文献２で開示されている方法が知られている。特許文献１で開示された方法は、カメラで撮影して得られた画像から抽出した顔／色特徴をデータベース化し、指定条件にマッチした人物を類似度順に上位複数件表示するようにしたものである。特許文献２で開示された方法は、所望の人物が取得できない場合、検索画面上で表情、年齢、性別などを変更して再検索するようにしたものである。
【０００３】
【特許文献１】特開２００２−１８３２０５号公報
【特許文献２】特開２００３−２８１１５７号公報
【発明の開示】
【発明が解決しようとする課題】
【０００４】
しかしながら、同一人物でも画角、照度、向きなどの撮像条件が違うと人物特徴空間（詳細は以下で説明する）上でばらつきが生じてしまい、検索クエリ（例えば顔画像）によって検索対象者がヒットしない場合があり、検索効率が悪いという問題がある。
【０００５】
人物特徴空間について説明する。カメラで撮影して得られた画像から抽出する人物特徴データは、画像から切出した移動体の画像データ、あるいは、形状・色・大きさ、動きなどにより移動体を特定する情報、あるいは、顔の目・鼻・口の形状や位置などを特定する情報である。これらの特徴情報の抽出分類方法は広く知られており、例えば、「画像の処理と認識」（安居院猛・長尾智晴  共著、昭晃堂出版）に厳密に記されている。これらの既存技術を利用して生成した顔／服装色等の人物特徴データは、人物を特定するために複数の要素（次元と呼ぶ）から構成されており、例えば顔特徴データは、全体の顔つきを把握するための要素群、目／鼻／口等の特定部品の形状を把握するための要素群の合計：数百〜数千次元から構成される。
【０００６】
このような数百〜数千次元からなる人物特徴データを多次元ベクトルとして空間にプロットしたものを、ここでは人物特徴空間と呼び、同一人物であれば同じ空間に集まる傾向にある。しかし、画角、照度、向きなどの撮像条件が違うと特徴空間上で「ばらつき」が生じるため、例えば、図１２に示すように、複数のカメラに人物Ａ、Ｂ、Ｃが登場し、人物特徴空間に各人物Ａ〜Ｃの特徴データがプロットされた後、人物Ａのデジタルカメラ等の顔写真（クエリ）を用いて行動履歴検索を行なっても、人物Ｃの結果がヒットしてしまう現象が発生する。このため、ユーザは誤検索を容認した検索操作をしなければならず非常に効率が悪い、また、「人物Ａの空間」の中心にクエリをプロットできれば上記現象を回避できるが、「人物Ａの空間」の中心にクエリを移行する方法はこれまでなかった。
【０００７】
本発明は、係る事情に鑑みてなされたものであり、検索効率の向上が図れる画像検索装置及び画像検索方法を提供することを目的とする。
【課題を解決するための手段】
【０００８】
本発明の画像検索装置は、撮影手段によって得られる被写体の画像をデータベース化して蓄積する蓄積手段と、前記蓄積手段に蓄積されている被写体の画像からクエリ画像を用いて類似検索を行う類似検索手段と、前記類似検索手段による検索結果のうち、基準とする正解画像と他の正解画像を合成するか、あるいは基準とする正解画像とネガポジ反転した不正解画像を合成して新たなクエリ画像を生成するクエリ画像生成手段と、を備え、前記類似検索手段は、前記クエリ画像検索手段で生成された新たなクエリ画像を用いて類似検索を行う。
【０００９】
上記構成において、前記クエリ画像生成手段は、基準とする正解画像と他の正解画像を合成するか、あるいは基準とする正解画像とネガポジ反転した不正解画像を合成する際、前記被写体に関する撮影時の付属情報に応じた重み付けを行う。
【００１０】
本発明の画像検索装置は、撮影手段によって得られる被写体の画像を別次元の画像に変換した特徴量をデータベース化して蓄積する蓄積手段と、前記蓄積手段に蓄積されている被写体の特徴量からクエリ画像特徴を用いて類似検索を行う類似検索手段と、前記類似検索手段による検索結果のうち、基準とする正解画像を別次元の画像に変換した特徴量と他の正解画像を別次元の画像に変換した特徴量を合成するか、あるいは基準とする正解画像を別次元の画像に変換した特徴量とネガポジ反転した不正解画像を別次元の画像に変換した特徴量を合成して新たなクエリ画像特徴を生成するクエリ画像生成手段と、を備え、前記類似検索手段は、前記クエリ画像生成手段で生成された新たなクエリ画像特徴を用いて類似検索を行う。
【００１１】
上記構成において、前記クエリ画像生成手段は、基準とする正解画像を別次元の画像に変換した特徴量と他の正解画像を別次元の画像に変換した特徴量を合成するか、あるいは基準とする正解画像を別次元の画像に変換した特徴量とネガポジ反転した不正解画像を別次元の画像に変換した特徴量を合成する際、前記被写体に関する撮影時の付属情報に応じた重み付けを行う。
【００１２】
上記構成において、前記被写体に関する撮影時の付属情報は、前記被写体の向き、前記被写体に対する照明変化量、前記被写体の解像度及び前記被写体のデータ量のうち少なくとも１つの情報を含む。
【００１３】
本発明の画像検索方法は、撮影手段によって得られる被写体の画像をデータベース化して蓄積する蓄積ステップと、前記蓄積ステップで蓄積された被写体の画像からクエリ画像を用いて類似検索を行う類似検索ステップと、前記類似検索ステップでの検索結果のうち、基準とする正解画像と他の正解画像を合成するか、あるいは基準とする正解画像とネガポジ反転した不正解画像を合成して新たなクエリ画像を生成するクエリ画像生成ステップと、を備え、前記類似検索ステップでは、前記クエリ画像生成ステップで生成された新たなクエリ画像を用いて類似検索を行う。
【００１４】
上記方法において、前記クエリ画像生成ステップでは、基準とする正解画像と他の正解画像を合成するか、あるいは基準とする正解画像とネガポジ反転した不正解画像を合成する際、前記被写体に関する撮影時の付属情報に応じた重み付けを行う。
【００１５】
上記方法において、前記被写体に関する撮影時の付属情報は、前記被写体の向き、前記被写体に対する照明変化量、前記被写体の解像度及び前記被写体のデータ量のうち少なくとも１つの情報を含む。
【００１６】
本発明の画像検索方法は、撮影手段によって得られる被写体の画像を別次元の画像に変換した特徴量をデータベース化して蓄積する蓄積ステップと、前記蓄積ステップに蓄積されている被写体の特徴量からクエリ画像特徴を用いて類似検索を行う類似検索ステップと、前記類似検索ステップによる検索結果のうち、基準とする正解画像を別次元の画像に変換した特徴量と他の正解画像を別次元の画像に変換した特徴量を合成するか、あるいは基準とする正解画像を別次元の画像に変換した特徴量とネガポジ反転した不正解画像を別次元の画像に変換した特徴量を合成して新たなクエリ画像特徴を生成するクエリ画像生成ステップと、を備え、前記類似検索ステップは、前記クエリ画像生成ステップで生成された新たなクエリ画像特徴を用いて類似検索を行う。
【発明の効果】
【００１７】
本発明は、撮影手段によって得られる被写体の画像をデータベース化して蓄積し、蓄積した被写体の画像からクエリ画像を用いて類似検索を行い、この検索により得られた複数の画像のうち、基準とする正解画像と他の正解画像を合成するか、あるいは基準とする正解画像とネガポジ反転した不正解画像を合成して新たなクエリ画像を生成し、この新たに生成したクエリ画像を用いて再度類似検索を行うので、検索効率が向上する。
【発明を実施するための最良の形態】
【００１８】
以下、本発明を実施するための好適な実施の形態について、図面を参照して詳細に説明する。
【００１９】
図１は、本発明の一実施の形態に係る画像検索装置の概略構成を示すブロック図である。同図において、本実施の形態の画像検索装置２０は、複数のカメラ１０で撮影することにより得られる複数の被写体それぞれの特徴をデータベース化して蓄積する人物特徴データベース（蓄積手段）２１と、人物特徴データベース２１に蓄積されている複数の被写体それぞれの特徴からクエリ画像を用いて類似検索を行う類似検索部（類似検索手段）２２と、類似検索部２２により得られた複数の画像のうち、基準とする正解画像と他の正解画像を合成するか、あるいは基準とする正解画像とネガポジ反転した不正解画像を合成して新たなクエリ画像を生成するクエリ画像生成部（クエリ画像生成手段）２３と、類似検索部２２で検索された画像を検索端末３０で表示するための画像処理を行う画像処理部２４と、を備えている。
【００２０】
類似検索部２２は、１回目の検索では、画像入力部４０から入力された画像をクエリ画像として、このクエリ画像を用いて類似検索を行う。類似検索部２２は、２回目以降の検索では、１回目の検索結果からユーザが正解／不正解を指定することで得られるクエリ画像を用いて類似検索を行う。類似検索部２２で検索された画像は画像処理部２４で画像処理されて検索端末３０に送られる。画像入力部４０は、例えばデジタルカメラであり、１回目の検索でクエリ画像として用いられる画像を画像検索装置２０に与える。検索端末３０は、画像検索装置２０の画像処理部２４で処理された画像を表示するためのモニタと、画像検索装置２０を操作するためのＧＵＩ（Graphical User Interface）を有している。ユーザは、検索端末３０のＧＵＩを使用して、２回目以降の画像検索において、基準とする正解画像、他の正解画像及び不正解画像の選択を行う。図２は、検索端末３０のＧＵＩ１００を示す図である。このＧＵＩ１００の詳細については後述する。
【００２１】
クエリ画像生成部２３は、１回目以降の検索結果からユーザが指定した正解画像／不正解画像を用いて、２回目以降の検索に用いるクエリ画像を生成する。２回目以降の検索に用いるクエリ画像の生成方法としては、図３の（ａ）に示すように、基準とする正解画像５０と他の正解画像５１及び５２を合成（重ね合わせ）する方法や、図３の（ｂ）に示すように、基準とする正解画像５０とネガポジ反転した不正解画像７０及び７１を合成（重ね合わせ）する方法がある。基準とする正解画像としては、本人が最も上手く検索されている画像が選択される。
【００２２】
図３の（ａ）の方法を用いることで合成画像６０が得られ、図３の（ｂ）の方法を用いることで合成画像６１が得られる。図３の（ａ）の方法では、撮影環境に不偏な領域を強調した特徴量を生成でき、検索に使用するクエリ画像を本人の中心へ補正できる利点を有する。図３の（ｂ）の方法では、他人を除去した精度のよい再検索を実現できる利点を有する。なお、本実施の形態では、図３の（ａ）と（ｂ）の両方の方法を有し、ＧＵＩ１００にて適宜選択可能になっている。
【００２３】
また、クエリ画像の生成において、基準とする正解画像と他の正解画像を合成する際、あるいは基準とする正解画像とネガポジ反転した不正解画像を合成する際に、被写体に関する撮影時の付属情報に応じた重み付けが可能となっている。被写体に関する撮影時の付属情報は、“被写体の向き”、“被写体に対する照明変化量”、“被写体の解像度”及び“被写体のデータ量”のうち少なくとも１つの情報を含むものである。特に、基準とする正解画像以外の画像の重みは小さめにする。例えば図３の（ａ）において、基準とする正解画像５０を“０．８”、他の正解画像５１を“０．１”、他の正解画像５２を“０．１”とする。
【００２４】
クエリ画像生成部２３は、検索端末３０から検索指示があって、基準とする正解画像と他の正解画像、あるいは基準とする正解画像とネガポジ反転した不正解画像が与えられる毎に新規のクエリ画像を生成して類似検索部２２に与える。
【００２５】
次に、利用シーンと検索操作例について説明する。図４は、利用シーンの一例を示す図である。この図において、監視区域内に１２台のカメラ１０が設置されており、それぞれ予め設定された向きに固定されている。また、各カメラ１０の映像は人物特徴データベース２１に常時蓄積される。監視区域内で警備員が走って逃げた人物８０を発見したとすると、警備員は人物８０の行動履歴を検索し、異常がないかどうか確認する。人物８０の行動履歴の検索において、まず何処かのカメラ１０で撮影された画像を最初のクエリ画像として取り込み、このクエリ画像を用いて、人物特徴データベース２１に蓄積されている被写体の特徴から類似検索を行う。図５は、クエリ画像９０を用いた１回目の検索結果９１の一例を示す図である。この検索結果では、２人の他人が検索されている。
【００２６】
図５に示す検索結果が得られると、この結果から新たなクエリ画像が生成される。そして、生成された新たなクエリ画像を用いて類似検索が行われる。新たなクエリ画像の生成は、前述したように、基準とする正解画像と他の正解画像、あるいは基準とする正解画像とネガポジ反転した不正解画像から生成される。図６の（ａ）に示すクエリ画像９２は、図５における基準とする正解画像９０と他の７つの正解画像との合成により得られたものである。また、図６の（ｂ）に示すクエリ画像９３は、図５における基準とする正解画像９０と２つのネガポジ反転した不正解画像との合成により得られたものである。図６の（ａ）に示すクエリ画像９２又は図６の（ｂ）に示すクエリ画像９３を用いて再度検索した結果が図６の（ｃ）である。この２回目の検索結果９４から分るように不正解画像が含まれておらず、検索精度の向上が図れている。
【００２７】
次に、正解画像／不正解画像の合成方法の詳細について説明する。図７に示すように、検索結果として得られる画像には、（１）カメラ位置の違い、（２）光源の違い、（３）画角の違い、（４）撮影画質の違い、がある。これらの違いを「顔向き、照明変化量、解像度、データ量」という形で、重みとして用いる付属情報として人物検索データベース２１に保存しておく。
【００２８】
図８は、正解画像／不正解画像の合成方法を示すフローチャートである。同図において、まず同一解像度へ正規化する（ステップＳ１）。即ち、選択された複数の画像をそれぞれ同じ解像度になるように引き伸ばす（大きさを揃える）。次に、各画像に対して顔向きと光源補正を行う（ステップＳ２）。なお、このステップは無くても構わない。次に、各画像に対して種別（即ち付加情報）に応じた重み付けを行う（ステップＳ３）。例えば、横向きの場合、重みを小さくする。また、低画質の場合、重みを小さくする。なお、検索順位別に重みを小さくしてもよい。
【００２９】
次に、選択された画像の中に不正解画像があれば、その画像に対してネガ画像化を行う（ステップＳ４）。次に、基準点を設けて、選択された複数の画像を合成する（ステップＳ５）。例えば両目の位置を合わせて合成する。
【００３０】
検索を行う毎に、図２に示すＧＵＩ１００には検索結果が表示される。例えば１０件ずつ表示するように指定すると、１０枚の画像が一斉に表示される。ユーザはこの中から基準となる正解画像とその他の正解画像を選択する。そして、選択した複数の正解画像をドラッグアンドドロップ操作で正解リスト領域に持ってくる（符号１１０で示す操作）。また、不正解画像についてもドラッグアンドドロップ操作で不正解リスト領域に持ってくる。ここで、検索された画像が１０枚を超える場合は、ページを変えて次の１０件分を表示させ、その中から該当する画像があればそれを選択して、正解リスト領域あるいは不正解リスト領域に持ってくる。
【００３１】
次いで、合成画像を正解画像のみで生成するか、不正解画像を含めて生成するかを選択し、合成画像生成を指示する。この指示により合成画像の生成が行われ、その結果が合成結果領域に表示される。そして、合成結果領域に表示されている合成画像を新たなクエリ画像としてドラッグアンドドロップ操作でＤＢ内顔指定領域に持ってくる（符号１１１で示す操作）。そして、この新たなクエリ画像で検索を行う。以上の処理を繰り返すことで正解率が上がり、検索効率が向上する。
【００３２】
ＧＵＩ１００は合成結果の再調整を行える機能を有しており、この調整のための操作を行うと、図９に示すように合成結果領域に“基準優先”と“部分強調”が表示される。基準優先の場合、種別に応じた重み付けの比率を変更できる。この場合、基準優先を高くすると、基準となる画像以外の画像の重みが小さくなり、逆に基準優先を低くすると、基準となる画像以外の画像の重みが大きくなる。部分強調の場合、顔で強調したい部分（目、鼻、口付近など）の画素値又は重みを高くすることができる。また、基準画像を用いて、選択した目、鼻、口付近を強調することもできる。
【００３３】
以上のように本実施の形態の画像検索装置２０によれば、類似検索部２２が、人物特徴データベース２１に蓄積した被写体の特徴からクエリ画像を用いて類似検索を行い、クエリ画像生成部２３が、類似検索部２２による類似検索により得られた複数の画像のうち、基準とする正解画像と他の正解画像を合成するか、あるいは基準とする正解画像とネガポジ反転した不正解画像を合成して新たなクエリ画像を生成し、この新たに生成したクエリ画像を類似検索部２２に与えるので、この一連の処理を繰り返すことで正解率が上がり、検索効率の向上が図れる。
【００３４】
また、クエリ画像生成部２３において、基準とする正解画像と他の正解画像を合成するか、あるいは基準とする正解画像とネガポジ反転した不正解画像を合成する際に、被写体に関する撮影時の付属情報に応じた重み付けを行うので、検索効率の更なる向上が図れる。
【００３５】
なお、上記実施の形態では、複数のカメラ１０から得られた画像を合成するようにしたが、１台のカメラに注目して、そのカメラから得られた複数の画像を合成するようにしてもよい。即ち、時系列動画としてみた場合、複数の画像と紐付けできるので、その画像群を用いて合成することも可能である。図１０に示す例では、３位の画像に注目し、この画像と前後する画像を用いて合成を行う。この考えは、監視映像を再生中に、登場している人物をクリックして検索する場合にも同様に適用できる。
【００３６】
また、上記実施の形態では、顔を検索対象としたが、服装の色や模様を検索対象としてもよい。服装の合成は、例えば肩を基準に行うのが望ましい。
【００３７】
また、上記実施の形態では、画像を合成したが、人物特徴データベース２１に目、鼻、口などの特徴量がある場合、この特徴量で合成してもよい。
【００３８】
この場合の目の特徴量は、たとえば、正規化された画像を図１１の１０１とした場合、目の特徴量を表している目の領域１０２をウエーブレット変換を用いて別次元へ変更したベクトル値を用いることができる。
【００３９】
特徴量で合成する場合、正解データは、各特徴量（目の値、鼻の値、口の値など）の値を加算（種別に応じて重み付け）することで得る。また、不正解データは、各次元の値を減算（種別に応じて重み付け）することで得る。この場合、加算はベクトル加算になり、減算はベクトル減算を行うことによりクエリ画像特徴を生成する。また、種別に応じて重み付けとは、例えば正面を向いたときの目、斜めを向いたときの目などである。
【００４０】
また、本発明の画像検索装置２０は、様々な環境に設置したカメラからリアルタイムに不審者などを検知するシステムにも適用できる。例えば、カメラ１０で検知した被写体の特徴が人物特徴データベース２１に登録されると、類似検索部２２にて、予め用意した不審者（複数）の顔画像をクエリ画像として検索を行ない、画像処理部２４で、ある閾値以上のスコアがあるか判定し、該当するものを不審者としてアラーム発報する。アラームの内容は、“カメラで検知した人物”と“不審者の顔画像”のリストであり、アラームを受信した管理者（ユーザ）は、アラームの内容を見て正解・不正解を指定する。クエリ画像生成部２３は、予め用意した“不審者の顔画像”を基準として、不正解と指定された“カメラで検知した人物”の画像を合成し、新たな“不審者の顔画像”を生成する。以上のように、アラームの誤報にあわせて、予め用意した“不審者の顔画像”を修正していくことで、アラームの誤報を抑制した“リアルタイム不審者検知システム”を実現することができる。
【産業上の利用可能性】
【００４１】
本発明は、検索効率の向上を図ることができるといった効果を有し、監視カメラシステムなどへの適用が可能である。
【図面の簡単な説明】
【００４２】
【図１】本発明の一実施の形態に係る画像検索装置の概略構成を示すブロック図
【図２】図１の画像検索装置に用いられる検索端末が有するＧＵＩを示す図
【図３】図１の画像検索装置における画像合成の一例を示す図
【図４】図１の画像検索装置の利用シーンの一例を示す図
【図５】図１の画像検索装置における１回目の検索を説明するための図
【図６】図１の画像検索装置における２回目の検索を説明するための図
【図７】図１の画像検索装置の検索結果として得られる画像の一例を示す図
【図８】図１の画像検索装置における画像合成方法を示すフローチャート
【図９】図１の画像検索装置における画像合成結果の再調整を行うためのＧＵＩの機能を示す図
【図１０】図１の画像検索装置における画像合成の他の方法を説明するための図
【図１１】画像合成と異なる特徴量を合成する方法を説明するための図
【図１２】人物特徴空間を説明するための図
【符号の説明】
【００４３】
１０  カメラ
２０  画像検索装置
２１  人物特徴データベース
２２  類似検索部
２３  クエリ画像生成部
２４  画像処理部
３０  検索端末
４０  画像入力部
５０  基準となる正解画像
５１、５２  他の正解画像
６０、６１  合成画像
７０、７１  ネガポジ反転した不正解画像
９０  クエリ画像
９１  １回目の検索結果
９２、９３  合成画像
９４  ２回目の検索結果
１００  ＧＵＩ
【図１】
2010211261.tif 000003
【図２】
2010211261.tif 000004
【図３】
2010211261.tif 000005
【図４】
2010211261.tif 000006
【図５】
2010211261.tif 000007
【図６】
2010211261.tif 000008
【図７】
2010211261.tif 000009
【図８】
2010211261.tif 000010
【図９】
2010211261.tif 000011
【図１０】
2010211261.tif 000012
【図１１】
2010211261.tif 000013
【図１２】
2010211261.tif 000014